(57)【要約】    【課題】持ち運ぶときに撓まず、睡眠時に足を載せると安定し、動きにくく、しかも注入物を注入しやすい足まくらの提供。    【解決手段】足まくらは１は、本体２と、蓋部３と、収納部４とを備える。本体２は、ゴム、軟質の合成樹脂、又はこれらのうち少なくとも１つを含む組成物からなる。本体２は、袋状に成形されている。収納部４は、硬質ポリ塩化ビニル等の硬質材料からなる。収納部４は平面視が矩形であり、短辺側の側面を長辺側の側面より高くして張り出させた、舟形状をなす。収納部４は硬質材料からなるので、軟質材料からなる本体２が、安定的に載置収納される。本体２及び収納部４は、さらに袋部に収納されることで、本体２と収納部４とが密着され、保温又は保冷の効果が持続される。【選択図】図１
2007014397.tif 000002
【特許請求の範囲】
【請求項１】
ゴム又は軟質の合成樹脂を含む材料からなり、袋状である本体と、
硬質材料からなり、上記本体の上部が露出した状態で、上記本体が載置されて収納される収納部と
を備える足まくら。
【請求項２】
液体又は固体が注入される注入部を備えており、
上記本体が上記収納部に収納されたときに、上記注入部が上方又は斜め上方へ向けられるように構成されている請求項１に記載の足まくら。
【請求項３】
上記本体と収納部とを収納する袋部、又は上記本体と収納部とに巻き付けるための巻装部を備える請求項１又は２に記載の足まくら。
【発明の詳細な説明】
【技術分野】
【０００１】
本発明は、湯たんぽ、氷嚢又はこれに類する用途に用いられ、足が載置される足まくらに関する。
【背景技術】
【０００２】
例えば、冬季の就寝時に足を温めるために、電気あんかや金属製の湯たんぽが用いられる。電気あんかは温度がコントロールされるが、電源コードを要し、煩わしい。金属製の湯たんぽは、取り扱い時に重く、硬いため使用感が悪い。使用感がよい点から、ゴム等、柔軟性のあるポリマーからなる湯たんぽが、今でも使われ続けている。
【発明の開示】
【発明が解決しようとする課題】
【０００３】
しかし、このゴム製湯たんぽは変形しやすく、持ち運ぶときに撓み、睡眠時に足を載せると安定せず、動きやすいという問題がある。また、ゴム製湯たんぽは、通常、注ぎ口が袋体の側部に設けられており、一方の手で湯たんぽを立てて、他方の手で重いやかんを持ってお湯を注がなくてはならず、湯たんぽを使用する機会の多い老人や病人にとって、不便であるという問題がある。
【０００４】
本発明は上記のような事情に鑑みてなされたものであり、持ち運ぶときに撓まず、睡眠時に足を載せると安定し、動きにくく、しかも注入物が注入されやすい足まくらを提供することを目的としている。
【課題を解決するための手段】
【０００５】
本発明に係る足まくらは、
（１）ゴム又は軟質の合成樹脂を含む材料からなり、袋状である本体
及び
（２）硬質材料からなり、上記本体の上部が露出した状態で、上記本体が載置されて収納される収納部
を備える。
【０００６】
好ましくは、液体又は固体が注入される注入部を備えており、上記本体が上記収納部に収納されたときに、上記注入部が上方又は斜め上方へ向けられるように構成されている。
【０００７】
好ましくは、上記本体と収納部とを収納する袋部、又は上記本体と収納部とに巻き付けるための巻装部を備える。
【発明の効果】
【０００８】
本発明の足まくらにおいては、変形しやすい本体を収納部に収納することで、持ち運ぶときに撓むことがなくなる。そして、睡眠時に足を載せると安定し、動きにくくなる。また、本体が収納部に収納されたときに、注入部が上方又は斜め上方へ向けられるように構成されている場合においては、本体を支持することなく、注入部に注入物が容易に注がれ得る。さらに、袋部又は巻装部を備える場合においては、本体と収納部とが密着され、保温又は保冷の効果が持続される。
【発明を実施するための最良の形態】
【０００９】
以下、適宜図面が参照されつつ、好ましい実施形態に基づいて本発明が詳細に説明される。
【００１０】
図１は、本発明の一実施形態に係る足まくら１が示された正面図、図２は側面図、図３は平面図、図４は縦断面図である。足まくらは１は、本体２と、蓋部３と、収納部４とを備える。足まくら１は、内部に湯、水、氷等が注入された上で、足が載置され、足を保温又は保冷するために用いられる。
【００１１】
本体２は、ゴム、軟質の合成樹脂、又はこれらのうちの少なくとも１つを含む組成物からなる。本体２は、袋状に成形されている。本体２の基材ポリマーがゴムである場合、袋状に成形され、架橋されてなる。ゴムの具体例としては、ポリイソプレン、ポリブタジエンが挙げられる。軟質の合成樹脂の具体例としては、ポリエチレン、ポリプロピレン、ポリ塩化ビニル、ポリウレタンが挙げられる。本体２は、基部２ａ、注入部２ｂ及びネジ山２ｃを備える。
【００１２】
本体２の大きさ及び形状に特に制限はない。一例として、本体２の基部２ａの平面視が略長方形の場合、短辺が１３ｃｍ、長辺が３０ｃｍ、注入物が充填されたときの高さが７．５ｃｍのものが挙げられる。本体２の厚みは、用いられるポリマーにより異なる。ポリマーの耐傷性、引張強度等が大きい場合は薄くすることができる。しかし、その場合でも、熱伝導率が高いと本体２の内部の温度が保たれにくいという面から、厚みは、通常、１ｍｍ以上とされる。本体２の厚みが厚すぎると、柔軟性が損なわれ、重くなる恐れがあるので、厚みの上限は、通常、４ｍｍ程度とされる。
【００１３】
筒状の注入部２ｂは、基部２ａの一方の短辺側端部の中央部から起立して設けられている。注入部２ｂは、基部２ａと同一の材料により一体的に成形されるが、基部２ａと別に成形されて接合されてもよい。注入部２ｂが、基部２ａの上部において配置される位置に特に制限はないが、図１に示されているように、基部２ａの端部近傍に設ける方が、使用中に邪魔にならず、本体２が後述する袋部５に収納されるときに収納されやすい。
【００１４】
筒状の注入部２ｂは、本体２に注入物が注がれやすいように、所定の径を備えている。注入部２ｂの直径は、小さすぎると氷等が注入されにくくなるので、２ｃｍ以上であるのが好ましい。
【００１５】
注入部２ｂは、蓋部３が設けられるために必要な高さを有する。注入部２ｂに蓋部３が装着されて本体２が使用される状態における注入部２ｂの高さは、蓋部３の形状、構造等にもよるが、通常３ｃｍ程度であることが好ましい。注入部２ｂの上部にはネジ山２ｃが設けられている。
【００１６】
蓋部３は、ネジ溝３ａを有するネジ蓋であり、通常、注入部２ｂよりも剛性が高い材質により形成されている。蓋部３の材料として、金属、合成樹脂又はゴムが用いられ得る。このネジ山２ｃにネジ溝３ａが螺合されて、注入部２ｂに蓋部３が装着される。
【００１７】
収納部４は、硬質ポリ塩化ビニル等の硬質材料からなる。この硬質材料としては、熱伝導率の低いものが好ましい。収納部４は平面視が矩形であり、短辺側の側面を長辺側の側面より高くして張り出させた、舟形状をなす。短辺側の側面は、両端部が切り欠かれており、上部が幅狭に形成されている。収納部４の大きさ及び形状に特に制限はない。一例として、短辺が１３ｃｍ、長辺が３０ｃｍ、長辺側の側面の高さが２ｃｍ、短辺側側面の高さが５ｃｍのものが挙げられる。
【００１８】
この収納部４は、前述したように硬質材料からなるので、軟質材料からなる本体２は、安定的に載置収納される。従って、持ち運ぶときに本体２が撓むことがなくなる。また、本体２が収納部４に収納されたときに、注入部２ｂが斜め上方へ向けられるので、本体２を支持する必要がなく、注入部２ｂにお湯等を容易に注ぐことが出来る。そして、睡眠時に、本実施形態の足まくら１に足を載せると安定し、動きにくくなる。よって、冬期に、足まくら１の内部にお湯が入れられることで、容易に寝入ることが出来、夏期に、足まくら１の内部に氷水が入れられることで、容易に寝入ることが出来る。
【００１９】
図５は、本体２及び収納部４が、袋部５に収納された状態が示された正面図である。袋部５は、布製の巾着状であり、本体２が収納された収納部４がさらに収納されるように構成されている。収納部４は、注入部２ｂが配されていない方から袋部５に差し入れられ、注入部２ｂの下部で、口紐５ａを絞って閉じられる。この袋部５により、本体２と収納部４とが密着され、保温又は保冷の効果が持続される。なお、袋部５の代わりに、タオル等の巻装部によって本体２及び収納部４を巻き付けることにしてもよい。
【産業上の利用可能性】
【００２０】
本発明は、湯たんぽ、氷嚢又はこれに類する用途に用いられ、足が載置される足まくらに関する。
【図面の簡単な説明】
【００２１】
【図１】図１は、本発明の一実施形態に係る足まくらが示された正面図である。
【図２】図２は、図１の足まくらが示された側面図である。
【図３】図３は、図１の足まくらが示された平面図である。
【図４】図４は、図１の足まくらが示された縦断面図である。
【図５】図５は、本体及び収納部が、袋部に収納された状態が示された正面図である。
【符号の説明】
【００２２】
１・・・足まくら
２・・・本体
２ａ・・・基部
２ｂ・・・注入部
２ｃ・・・ネジ山
３・・・蓋部
３ａ・・・ネジ溝
４・・・収納部
５・・・袋部
５ａ・・・口紐
【図１】
2007014397.tif 000003
【図２】
2007014397.tif 000004
【図３】
2007014397.tif 000005
【図４】
2007014397.tif 000006
【図５】
2007014397.tif 000007